(57)【要約】      （修正有）【課題】池あるいは水槽等の水源より水ポンプが吸水する場合、吸水管ストレーナを水源の底に着けると吸水性能が落ち水ポンプの性能に大きく影響してしまう。吸水をさらに続け水位が水源の底に近くなり、水面が吸水管ストレーナの上面近くになった時点で空気を吸い込み吸水不能となる。このような状況でも吸水するためは専用の低水位用吸水管ストレーナに交換し揚水の作業からやり直して吸水する必要がある。本発明は、以上のような欠点をなくすためになされたものである。【解決手段】本発明は、低水位ストレーナの上部にフロートを設けたものであり、ストレーナ部５とフロートはヒンジ部６で繋がれており、ヒンジ部６を中心にストレーナ部５は回転移動できる。低水位ストレーナの吸水管接続部４も上下に回転移動できる。吸水管接続部４は吸水管の吸水管口金を取り付けた際に、吸水管のねじれを吸収できるように自由に回転できることを特徴とする。【選択図】図３
2020099656.tif 000002
【特許請求の範囲】
【請求項１】
フロートの下に低水位ストレーナを設けた構造で、そのフロートと低水位ストレーナとの接続はヒンジ構造となっており、ヒンジを中心に低水位ストレーナが下方に回転移動できる構造であり、吸水管を低水位ストレーナに取付けた時に吸水管が水面下深くに沈んだ場合にも低水位ストレーナがヒンジを中心に下方に回転移動することによりヒンジの取り付部を通してフロートに下方向の力が掛かる構造によりフロートは傾くことなく安定した状態を保つことが出来る消防ポンプ用吸水管ストレーナ。
【請求項２】
吸水管接続口は自由に回転できる構造により吸水管への取り付けが容易にできるようにし、また吸水時の吸水管のねじれを吸収する構造とする。また吸水管接続口は上下に回転移動できる構造であり吸水管の接続方向が変わっても吸水を可能とした請求項１に記載の消防ポンプ用吸水管ストレーナ。
【請求項３】
水位が下がった時は低水位ストレーナが水源の底面に着底し、そのまま低水位の水であっても空気を混入することなくストレーナ部より吸水を可能とした請求項１に記載の消防ポンプ用吸水管ストレーナ。
【発明の詳細な説明】
【技術分野】
【０００１】  この発明は、消防用ポンプに使用される吸水管ストレーナに関するものである。
【背景技術】
【０００２】  従来、消防ポンプ用吸水管ストレーナ（以下吸水管ストレーナと呼ぶ）は、図１８、１９、２０の１１に示されるような形状のものであり、材質は樹脂または銅製のものである。消防ポンプ内にゴミ等が侵入するのを防ぐために直径７ｍｍ程度の穴が表面に空けられている円筒状の装置である。これを吸水管７の先端に取り付け（通常は常時吸水管に取り付けられたままになっている）、吸水する水源の水位が十分にある場合は、この吸水ストレーナ１１を水中に沈めロープで固定して吸水する。低水位の場合は、図１９に示すように吸水管ストレーナ１１より空気が入ってしまい吸水できない。吸水できる水位の限界は２０ｃｍ程度であり、それ以下の水位の場合において消火に使用する場合は、せき止め等をして水位を上げて吸水しなければならない。この作業は大変手間のかかる作業であり、１分１秒を争う消火活動という観点からすると大変問題があった。近年この問題を解決するため各種の低水位用吸水管ストレーナが考案されているが、いずれも低水位時には通常の吸水管ストレーナ１１を外して新たに低水位用吸水管ストレーナを取り付けて使用しなければならないものである。
【先行技術文献】
【特許文献】
【０００３】
【特許文献１】実開平６−４８８０７
【特許文献２】特許第５５３２４１４
【発明の概要】
【発明が解決しようとする課題】
【０００４】  従来の吸水管ストレーナには次のような欠点があった。
（イ）図１５、１６、１７に示すように、池あるいは水槽等の水源より水ポンプ９が吸水する場合、吸水管７の先端に取り付けられている吸水管ストレーナ１１を水源の底に着けると吸水面が狭められ、場合によっては泥や草に埋まってしまうため吸水性能が落ち水ポンプ９の性能に大きく影響してしまう。このようなことを防ぐために吸水管ストレーナ１１が水面下の適正な深さに位置するように通常２本のロープ１２により吸水管ストレーナ１１を支え固定する。この作業も緊急時の消火活動には問題であるが、さらに吸水を続けて水位が下がると吸水管ストレーナ１１が水面に露出し吸水不能となる。これを防ぐために吸水中は水面と吸水管ストレーナ１１を常に監視し、吸水管ストレーナ１１が水面に露出する前に吸水管７とロープ１２を調整し、吸水管ストレーナ１１が常に水面下の適正な深さに位置するように都度調整する必要がある。
（ロ）吸水をさらに続け水位が水源の底に近くなると吸水管ストレーナ１１が水面上に露出し完全に吸水不能となるが、その前に図１９に示すように、水面が吸水管ストレーナ１１の上面近くになった時点で空気を吸い込み吸水不能となる。この吸水不能となる水位は水源の底面より２０ｃｍ程度である。このような状況でも吸水するために現在各種の低水位用吸水管ストレーナが考案されているが、いずれも低水位専用ストレーナであり吸水を中断して通常のストレーナと交換し揚水の作業からやり直して吸水する必要があり、緊急時の消火作業としては大きな問題がある。
本発明は、以上のような欠点をなくすためになされたものである。
【課題を解決するための手段】
【０００５】  本発明は、図１、２、３に示すように低水位ストレーナ１の上部にフロート２を設けたものである。図３に示すように低水位ストレーナ１とフロート２はヒンジ６で繋がれており、ヒンジを中心に低水位ストレーナ１は回転移動できる構造となっている。さらに低水位ストレーナ１の吸水管接続部４も上下に回転移動できる構造となっている。また図４に示すように吸水管接続部４は吸水管７の吸水管口金１３を取り付けた際に、吸水管のねじれを吸収できるように自由に回転できる構造となっている。
本発明は、以上の構成よりなる消防ポンプ用吸水管ストレーナである。
【発明の効果】
【０００６】  （イ）池あるいは水槽等の水源より消防ポンプが吸水する場合、従来のやり方では吸水管の先端に取付けられている吸水管ストレーナを水源の底に着けると吸水面が狭められ、場合によっては泥や草に埋まってしまうため吸水性能が落ち消防ポンプの性能に大きく影響してしまう。このようなことを防ぐために本発明によれば、低水位ストレーナの上部にフロートを設けることによりフロートの浮力により常に水面下の適正な位置に低水位ストレーナを位置することができ、さらにヒンジ部を中心にして低水位ストレーナが下向きに自由に回転移動できることにより、吸水管がその重さにより水面下に深く沈んだ場合にもフロートには下向きの力となり、フロートを傾けることなく水平近くに安定した状態で吸水することができる。このため従来の吸水管ストレーナのように水位が変化することで吸水管ストレーナの位置を都度調整するような作業が不要となる。このことは１分１秒を争う緊急時の消火活動を迅速かつ安全に行うことに大きく貢献するものである。
（ロ）吸水をさらに続け水位が水源の底に近くなると、従来のやり方では吸水管ストレーナが水面上に露出し完全に吸水不能となるが、その前に水面が吸水管ストレーナの上面近くになった時点で空気を吸い込み吸水不能となる。吸水不能となる水位は水源の底面より２０ｃｍ程度である。このような状況でも吸水管ストレーナを交換せずに吸水できるようにするため本発明では、フロートの下に低水位ストレーナを設けることにより吸水管ストレーナの底面が水源の底に着いた状態で水源の底面より５ｃｍ程度までの低水位であっても吸水を継続することができる。吸水管ストレーナを交換せずに、また揚水の作業からやり直すこともなく吸水を継続できることは緊急時の消火作業としては大きな利点である。
【図面の簡単な説明】
【０００７】
【図１】  本発明の外観図
【図２】  本発明の上面図
【図３】  本発明の正面図
【図４】  本発明の側面図
【図５】  低水位ストレーナ外観図
【図６】  低水位ストレーナ上面図
【図７】  低水位ストレーナ正面図
【図８】  低水位ストレーナ側面図
【図９】  本発明の使用図１
【図１０】  本発明の使用図２
【図１１】  本発明の使用図３
【図１２】  本発明の詳細図１
【図１３】  本発明の詳細図２
【図１４】  本発明の詳細図３
【図１５】  従来型ストレーナの使用図１
【図１６】  従来型ストレーナの使用図２
【図１７】  従来型ストレーナの使用図３
【図１８】  従来型ストレーナの詳細図１
【図１９】  従来型ストレーナの詳細図２
【図２０】  従来型ストレーナの詳細図３
【図２１】  本発明の使用図４
【図２２】  本発明の使用図５
【図２３】  本発明の使用図６
【発明を実施するための形態】
【０００８】  以下、本発明を実施するための形態について説明する。
本発明は、図１、２、３に示すように低水位ストレーナ１の上部にフロート２を設けたものである。さらに図３に示すように低水位ストレーナ１とフロート２はヒンジ６により繋がれており、低水位ストレーナ１はヒンジ６を中心にしてフロート２の下方に回転移動できる構造となっている。さらに低水位ストレーナ１の吸水管接続部４も上下に回転移動できる構造となっている。また図４に示すように吸水管接続部４は吸水管の吸水管口金１３を取り付けた際に、吸水管のねじれを吸収できるように自由に回転する構造となっている。
本発明は以上のような構造である。
これを使用するときは、図９、１０、１１に示すように水ポンプ９が水源より水を吸水する場合、まず水ポンプ９に接続された吸水管７の先端に本発明の低水位ストレーナ１を取付ける。次に低水位ストレーナ１を水中に投入するが、フロート２の浮力のため低水位ストレーナ１は水中に没することなく水面下の適正な位置に留まる、さらに低水位ストレーナ１のストレーナ部５が下に設けられているため、空気を吸い込むことがない。図９で示すように水ポンプ９の吸水管７はフレキシブルな材質で作られているため水深のある水源では吸水管７はその自重で大きく下に沈んでしまう。この場合にも低水位ストレーナ１はヒンジ６を中心にフロート下側に回転移動する構造のためフロート２には下向きの力となりフロート２を傾けることがない。また場合によって吸水管７は接続した時にねじられることがあるが、低水位ストレーナ１の接続金具４が回転することにより低水位ストレーナ１とフロート２を常に水平に保つことが出来る。
また、吸水を継続することにより水位が下がり低水位となった場合に、低水位ストレーナ１の底面が水源の底面に着きそのまま吸水を継続することができる。この場合も吸水管７のねじれは低水位ストレーナ１の接続金具４が回転することにより吸収し、また同時に接続金具４は図１３で示すように下側に回転移動することにより低水位ストレーナ１を常に安定した状態に保つことができる。
その他の使い方としては図２１、２２、２３に示すように、水源が深いところにある時に、低水位ストレーナ１の接続金具４を上方に向けて吸水することが出来る。こうすることで従来では取水不可能な水源から吸水することが可能となる。また低水位ストレーナ１とフロート２を取り外し式にしておけば図５、６、７，８で示すように低水位ストレーナ単独で使用できる。
【符号の説明】
【０００９】１      低水位ストレーナ
２      フロート
３      回転部
４      吸水管接続部
５      ストレーナ部
６      ヒンジ部
７      吸水管
８      消防ポンプ車
９      水ポンプ
１０    消防ホース
１１    吸水管ストレーナ
１２    ロープ
１３    吸水管口金
【図１】
2020099656.tif 000003
【図２】
2020099656.tif 000004
【図３】
2020099656.tif 000005
【図４】
2020099656.tif 000006
【図５】
2020099656.tif 000007
【図６】
2020099656.tif 000008
【図７】
2020099656.tif 000009
【図８】
2020099656.tif 000010
【図９】
2020099656.tif 000011
【図１０】
2020099656.tif 000012
【図１１】
2020099656.tif 000013
【図１２】
2020099656.tif 000014
【図１３】
2020099656.tif 000015
【図１４】
2020099656.tif 000016
【図１５】
2020099656.tif 000017
【図１６】
2020099656.tif 000018
【図１７】
2020099656.tif 000019
【図１８】
2020099656.tif 000020
【図１９】
2020099656.tif 000021
【図２０】
2020099656.tif 000022
【図２１】
2020099656.tif 000023
【図２２】
2020099656.tif 000024
【図２３】
2020099656.tif 000025